(57)【要約】【課題】  嵌め合い床板は、部屋等に敷き詰めた時に最も重要な表面の段差をなくすること、木部は、反らないこと。上層の木部の長手方向の向きと同じ方向に嵌め合え、９０度に角度を変えても嵌め合えること。木部は間に隙間をつくらない、必要な幅に切断できること。嵌め合いが確実であること。【解決手段】  表面の段差は、上層の木部（１）の隣り合う二辺の木口と側面に木質凸加工（図２）があり、また、他の隣り合う二辺に木質凹加工（図３）がしてあり、この加工部分を嵌め合うのでなくなる。上層の木部（１）の反り防止のため、木部（１）は、長手方向に対して直角に、木質（１２）の部分の途中まで多数箇所に切り込み加工（１５）がしてある。この加工があるので必要な幅に簡単に切断できる。木部の間に隙間をなくすため木部は多数枚の全体を中間層の伸びない補強材（２）に接着剤で貼り付けてある。結合は、きのこ型凹凸部で確実に嵌め合える。【選択図】  図１１
0003104357.tif 000002
【実用新案登録請求の範囲】
【請求項１】
上層は長方形で特殊な加工がしてある木部（１）を多数枚使用して正方形、又は、矩形となる幅にして、中間層の伸びない補強材（２）に接着剤で貼り付けて固定し、下層に成形したスポンジ（３）を接着剤で貼り付けていることを特徴とする嵌め合いの段差防止付き床板のジョイント・ウッド（Ｗ）。
【請求項２】
上層の長方形で特殊な加工がしてある木部（１）の隣り合う二辺の木口と側面に木質凸加工（１３）と、他方の隣り合う二辺の同じ位置に木質凹加工（１４）があることで、部屋等に嵌め合い敷き詰めた時に木部（１）の最も重要な表面の段差防止をしてあることを特徴とする請求項１に記載の段差防止付き床板のジョイント・ウッド（Ｗ）。
【請求項３】
上層の長方形で特殊な加工がある木部（１）で木質（１２）部分に、長手方向に対して直角に多数箇所に切り込み加工（１５）をして、木部（１）の反り防止すること。
そして、長手方向に切断することは容易にできるし、この切り込み加工（１５）を目安に長手方向に対して直角に簡単に切断することができることを特徴とする請求項１に記載の段差防止付き床板のジョイント・ウッド（Ｗ）。
【請求項４】
下層の成形したスポンジ（３）の「きのこ型」凸部（１６）と「きのこ型」凹部（１７）の形、数量及び位置を特定することにより、上層の長方形で特殊な加工がしてある木部（１）の長手方向の向きと同じ方向（図１２）に嵌め合え、木部（１）の長手方向に対して９０度に嵌め合う角度を変えて（図１３）も、前記の「きのこ型」の凹凸部（１７，１６）をもう一つの段差防止付きジョイント・ウッド（Ｗ）と嵌め合うことができることを特徴とする請求項１に記載の段差防止付き床板のジョイント・ウッド（Ｗ）
【請求項５】
下層の成形したスポンジ（３）の隣り合う二辺に全て同じ「きのこ型」凸部（１６）があり、他の隣り合う二辺に全て同じ「きのこ型」凹部（１７）があることを特徴とする請求項１に記載の段差防止付き床板のジョイント・ウッド（Ｊ）。
【考案の詳細な説明】
【技術分野】
【０００１】  本考案は、嵌め合いの段差防止付き床板のジョイント・ウッドに関するものである。
【背景技術】
【０００２】  従来の組み立て床板は、複数の木板に突出歯と凹穴がある低層を貼り付けた二層のものである。そして、低層の突出歯と凹穴が全て同じ形状でないため、同一方向にだけ嵌め込むようになっている。
【考案の開示】
【考案が解決しようとする課題】
【０００３】  解決しようとする課題は、嵌め合い床板で部屋等に敷き詰めた時に最も重要な表面の段差をなくすること、上層の長方形で特殊な加工がしてある木部（１）は、反らないようにすることである。下層の変形により上層の長方形で特殊な加工がしてある木部の間に隙間ができないようにすること。上層の長方形で特殊な加工がしてある木部（１）の長手方向の向きと同じ方向に嵌め合え、また、長手方向に対して９０度に角度を変えて嵌め合えるようにすること。下層の凸部と凹部の嵌め込みを容易に確実にすること。
更に、上層の長方形の特殊な加工がしてある木部（１）が必要な幅に切断できるようにすることである。
【課題を解決するための手段】
【０００４】  本考案は、部屋等に敷き詰めた時に表面に段差ができないようにするため、図２の上層の長方形で特殊な加工がしてある木部（１）は、隣り合う二辺の木口と側面に木質凸加工があり、また、図３に他の隣り合う二辺の木口と側面に木質凹加工がしてある。
木質凸加工の位置は、図８，９で下層の成形したスポンジ（３）の隣り合う二辺にあるきのこ型凹部（１７）のところであり、木質凹加工の位置は、図６で下層の成形スポンジ（３）の隣り合う二辺にあるきのこ型凸部（１６）のところになる構造にしてある。【０００５】  上層の木部（１）の反り防止のため、上層の長方形で特殊な加工がある木部（１）は、図２から図４で主体の木質（１２）にツキ板（１１）付きにしてあるので、木部（１）の長手方向に対して直角に、木質（１２）部分の途中まで多数箇所に切り込み加工（１５）がしてあるものを使用する。【０００６】  下層の変形により上層の木部（１）の間に隙間ができないようにするため、上層の長方形で特殊な加工がしてある木部（１）を多数枚使用している全体を中間層の伸びない補強材（２）に接着剤で貼り付けて固定する。【０００７】  上層の長方形で特殊な加工がしてある木部（１）の長手方向の同じ向き（図１０）に嵌め合え、木部（１）の長手方向に対して９０度に嵌め合う角度を変えて（図１１）も嵌め合えるようにするため、下層の成形したスポンジのきのこ型凸部（１６）を隣り合う二辺に配置して、きのこ型凹部（１７）は、他の隣り合う二辺に配置してある。
これは、きのこ型凹凸部の形、数量及び位置を特定することで可能である。【０００８】  下層の凸部と凹部の嵌め合いを容易に確実にするため、図６の下層の成形したスポンジ（３）の凸部を「きのこ型」凸部（１６）とし、全て同じ形とする。図６の下層の凹部も同様に「きのこ型」凹部（１７）とし、全て同じ形とする。そして、下層の「きのこ型」凹部（１７）に当たる部分で、図９の中間層の伸びない補強材（２）の底面（１７、１８）に粘着剤を塗布して嵌め合いの補助をする。
【考案の効果】
【０００９】  上層の長方形で特殊な加工がしてある木部（１）の木口と側面の隣り合う二辺に木質凸加工（１３）があり、他の木口と側面の隣り合う二辺に木質凹加工（１４）があることで、この木質凹凸（１４，１３）を嵌め合わせて部屋等に敷き詰めた時に最も重要な表面の段差をなくすることができる。【００１０】  上層の長方形で特殊な加工がしてある木部（１）に、ツキ板（１１）付き木質（１２）を使用しているので、この木質（１２）部分に長手方向に対して直角に多数箇所に切り込み加工（１５）したことで木部（１）の反りをなくすことができる。【００１１】  下層の変形により上層の木部の間に隙間ができないようにするための、上層の長方形で特殊な加工がしてある木部（１）を多数枚使用して全体を中間層の伸びない補強材（２）に接着剤で貼り付けて固定したことは、力を加えて隙間を作り、力を除くと成形したスポンジの元に戻る作用も働いて、元の位置に戻るので隙間ができなくなる。
この木部の間に隙間ができないことは、ごみやほこりを溜めないため清潔である。【００１２】  上層の長方形で特殊な加工がしてある木部（１）の長手方向の向きを同じ方向に嵌め合え（図１２）、また、木部（１）の長手方向に対して９０度に嵌め合う角度を変えても嵌め合える（１３）ようになることで木部（１）の模様に変化を作ることができる。
この木部（１）の模様を楽しむことができる。このことは、下層の成形したスポンジのきのこ型凹凸部を同じ形、同じ数量及び位置を特定したことによるのです。【００１３】  下層の成形したスポンジ（３）の「きのこ型」凸部（１６）と「きのこ型」凹部（１７）の形にしたことにより嵌め込みを容易に確実にすることができる。これは、きのこ型に丸みを付けて、「きのこの傘」に当たる部分が嵌め合いを保持する役目をすることによる。この「きのこ型」凹凸部が嵌め合うのに最適な形状である。そして、下層のきのこ型（１７）に当たる部分の中間層の伸びない補強材（２）の底面（１７、１８）に粘着剤を塗布して嵌め合いの補助をすることで完全な嵌め合い結合ができる。【００１４】  更に長方形で特殊な加工がしてある木部（１）は、長手方向に容易に切断することができるし、木質（１２）部分の長手方向に対して直角に多数箇所に切り込み加工（１５）したところを目安に簡単に木部（１）を切断することができる。このことは、部屋等に敷き詰めた時に最後までこのジョイント・ウッド一枚の大きさで施工できない場合は、最後の広さの分だけの必要な幅に簡単に切断して敷き詰めることができることを特徴とする段差防止付き床板のジョイント・ウッド（Ｗ）である。
【考案を実施するための最良の形態】
【００１５】  本考案について、図面に基づいて説明する。
図２から図７までは構成部品である。図２は上層になる特殊な加工がしてある木部（１）である。木部はツキ板（１１）と木質（１２）から成り、木質には隣り合う二辺に木口と側面に木質凸加工（１３）がり、図３は、他の隣り合う二辺の木口と側面に木質凹加工（１４）がある。この木質の底面から途中まで切り込み加工（１５）が多数箇所にある。図４は、上層の材料で隣り合う木質凸加工（１３）と木質凹加工（１４）及び切り込み加工（１５）を拡大した斜視図であり、形と位置関係を知ることができる。【００１６】  図５は中間層になる伸びない補強材（２）である。図２の特殊な加工がしてある木部（１）を必要な枚数だけ接着剤で貼り合わせて固定するものである。
図６は下層になる成形したスポンジ（３）である。中間層の底面に接着剤で貼り付けるものである。成形したスポンジ（３）に、隣り合う二辺にきのこ型凸部（１６）があり全て同じ形である、他の隣り合う二辺にきのこ型凹部（１７）があり全て同じ形である。図７は、下層のきのこ型凹部（Ａ）ときのこ型凸部（Ｂ）の拡大した斜視図である。【００１７】  図１は、上層の特殊な加工がしてある木部（１）と中間層の伸びない補強材（２）、そして、下層の成形したスポンジ（３）を接着剤で貼り合わせた状態であり、嵌め合いの段差防止付き床板のジョイント・ウッド（Ｗ）として完成した斜視図である。【００１８】  図８は、段差防止付きのジョイント・ウッド（Ｗ）の全体を示した平面図である。
下層の成形したスポンジ（３）のきのこ型凸部（１６）が隣り合う二辺にある。
このきのこ型凸部（１６）が次に嵌め合う段差防止付きのジョイント・ウッド（Ｗ）の下層の成形したスポンジ（３）のきのこ型凹部（１７）と嵌め合うことになる。【００１９】  図９は、段差防止付きのジョイント・ウッド（Ｗ）の全体を示した底面図である。
下層の成形したスポンジ（３）のきのこ型凹部（１７）が中間層の伸びない補強材（２）の枠内にある。隣り合う二辺に木質凸加工が確認できる。
【実施例１】
【００２０】  図１０は、長方形で特殊な加工がしてある木部（１）６枚を使用して、木部の長手方向と同じ向きに段差防止付きのジョイント・ウッド（Ｗ）を４枚使用して嵌め合いした実施例の斜視図である。段差防止付きのジョイント・ウッド（Ｗ）の隣り合う二辺に下層のきのこ型凸部（１６）がある。成形したスポンジの凸部は、必要により切断できる。
【実施例２】
【００２１】  図１１は、長方形で特殊な加工がしてある木部（１）５枚を使用して、木部（１）の長手方向に対して９０度に嵌め合う角度を変えてジョイント・ウッド（Ｗ）を４枚使用して嵌め合いした実施例の斜視図である。段差防止付き床板のジョイント・ウッド（Ｗ）の隣り合う二辺に交互に下層のきのこ型凹凸部（１７、１６）がある。
【図面の簡単な説明】
【００２２】
【図１】  完成している状態を示したジョイント・ウッド（Ｗ）の斜視図である。
【図２】  上層の隣り合う木質凸加工を示した斜視図である。
【図３】  上層の隣り合う木質凹加工を示した斜視図である。
【図４】  上層の隣り合う木質凹凸加工を部分拡大した斜視図である。
【図５】  中間層の材料を示した斜視図である。
【図６】  下層の材料を示した斜視図である。
【図７】  下層のきのこ型凹部（Ａ）と凸部（Ｂ）を拡大した斜視図である。
【図８】  全体を示した平面図である。
【図９】  全体を示した底面図である。
【図１０】  ジョイント・ウッドの実施方法を示した斜視図である。（実施例１）
【図１１】  ジョイント・ウッドの実施方法を示した斜視図である。（実施例２）
【符号の説明】
【００２３】Ｗ    段差防止付き床板のジョイント・ウッド
１    上層の長方形で特殊な加工がしてある木部（ツキ板を含む）である。
２    中間層の伸びない補強材である。
３    下層の成形したスポンジである。
１１  ツキ板
１２  木質
１３  木質凸加工
１４  木質凹加工
１５  切り込み加工
１６  きのこ型凸部
１７  きのこ型凹部
１８  伸びない補強材の底面
【図１】
0003104357.tif 000003
【図２】
0003104357.tif 000004
【図３】
0003104357.tif 000005
【図４】
0003104357.tif 000006
【図５】
0003104357.tif 000007
【図６】
0003104357.tif 000008
【図７】
0003104357.tif 000009
【図８】
0003104357.tif 000010
【図９】
0003104357.tif 000011
【図１０】
0003104357.tif 000012
【図１１】
0003104357.tif 000013